(57)【特許請求の範囲】
【請求項１】
遊技者の遊技機における喫煙を検出する喫煙検出手段と、
前記遊技機の遊技場内における位置を取得する位置取得手段と、
前記遊技場内の喫煙エリアの位置や収容人数、予約者や予約時間などの予約情報を含む喫煙エリア情報を記憶する喫煙エリア情報記憶手段と、
前記喫煙検出手段によって喫煙を検出した場合に、前記喫煙エリア情報記憶手段に基づいて、所定の時間帯に予約可能な前記喫煙エリアを検索する喫煙エリア検索手段と、
前記喫煙エリア検索手段による検索結果を表示する喫煙エリア表示手段と、
を備えることを特徴とする遊技場喫煙管理システム。
【請求項２】
前記遊技機の稼働状態を取得する稼働状態取得手段と、
前記喫煙エリア情報記憶手段に基づいて、前記遊技者の所定時間内の予約情報がある場合に、前記稼働状態取得手段によって遊技機が所定の状態であると判定されると、前記遊技者の所定時間内の予約情報を所定時間後に変更する予約変更手段と、
を備えることを特徴とする請求項１に記載の遊技場喫煙管理システム。
【請求項３】
前記喫煙エリア検索手段は、前記位置取得手段で取得した前記遊技機から近い順に予約可能な喫煙エリアを検索し、
前記喫煙エリア表示手段は、前記喫煙エリア検索手段による検索結果を前記遊技機から近い順に表示する、
ことを特徴とする請求項１または２に記載の遊技場喫煙管理システム。
【発明の詳細な説明】
【技術分野】
【０００１】
この発明は、遊技場における喫煙を管理する遊技場喫煙管理システムに関する。
【背景技術】
【０００２】
パチンコ機やパチスロ機などの遊技機が複数設置された遊技場においては、喫煙者と非喫煙者とが混在しており、喫煙者が吸うタバコの煙によって非喫煙者が不快な思いをする場合がある。このため、喫煙者と非喫煙者とが隣接して遊技をしていても、適切に分煙することが可能である、という装置が知られている（例えば、特許文献１参照。）。この装置は、隣り合う遊技機の境界上部に、下方に向かって空気を吹き出す送風機を備え、吹き出された空気によって上下方向に延びるエアーカーテンを形成し、隣席する遊技者の発する悪臭を遮断する、というものである。
【先行技術文献】
【特許文献】
【０００３】
【特許文献１】特開２００８−００５９７９号公報
【発明の概要】
【発明が解決しようとする課題】
【０００４】
しかしながら、上記特許文献１のような装置を備えたとしても、非喫煙者に不快感を完全に与えないようにすることは困難であり、非喫煙者に不快感を与えないためにも、遊技の際には喫煙をしないで、喫煙をする際には喫煙エリア（休憩所）に行く、という分煙が好ましい。ところが、喫煙エリアに行くには遊技を中断しなければならず、また、喫煙エリアに行くのが面倒な場合もあり、分煙がなかなか進まないのが実情であった。
【０００５】
そこでこの発明は、喫煙は喫煙エリアで行う、という分煙を促進することを可能にする遊技場喫煙管理システムを提供することを目的とする。
【課題を解決するための手段】
【０００６】
上記課題を解決するために、請求項１に記載の発明は、遊技者の遊技機における喫煙を検出する喫煙検出手段と、前記遊技機の遊技場内における位置を取得する位置取得手段と、前記遊技場内の喫煙エリアの位置や収容人数、予約者や予約時間などの予約情報を含む喫煙エリア情報を記憶する喫煙エリア情報記憶手段と、前記喫煙検出手段によって喫煙を検出した場合に、前記喫煙エリア情報記憶手段に基づいて、所定の時間帯に予約可能な前記喫煙エリアを検索する喫煙エリア検索手段と、前記喫煙エリア検索手段による検索結果を表示する喫煙エリア表示手段と、を備えることを特徴とする遊技場喫煙管理システムである。
請求項２に記載の発明は、請求項１に記載の遊技場喫煙管理システムにおいて、前記遊技機の稼働状態を取得する稼働状態取得手段と、前記喫煙エリア情報記憶手段に基づいて、前記遊技者の所定時間内の予約情報がある場合に、前記稼働状態取得手段によって遊技機が所定の状態であると判定されると、前記遊技者の所定時間内の予約情報を所定時間後に変更する予約変更手段と、を備えることを特徴とする。
請求項３に記載の発明は、請求項１または２に記載の遊技場喫煙管理システムにおいて、前記喫煙エリア検索手段は、前記位置取得手段で取得した前記遊技機から近い順に予約可能な喫煙エリアを検索し、前記喫煙エリア表示手段は、前記喫煙エリア検索手段による検索結果を前記遊技機から近い順に表示する、ことを特徴とする。
【発明の効果】
【０００７】
請求項１の発明によれば、喫煙を検出した場合に、喫煙エリア情報記憶手段に基づいて、所定の時間帯に予約可能な喫煙エリアを検索するので、喫煙者に対して、適切な喫煙エリアを提示することができる。これにより、喫煙者は特別な操作をしなくても、容易に予約可能な喫煙エリアを把握することができるので、喫煙者にかける手間や時間を軽減することができる。このように、喫煙エリアの予約に要する手間と時間とを軽減することができるので、無理なく喫煙者に喫煙エリアを利用してもらうことができる。これにより、遊技場において分煙を推し進めることができるので、快適な遊技環境を提供することができる。
【０００８】
また、分煙することにより、喫煙者と、非喫煙者とが相互に快適に共存することができるので、遊技機稼働率が向上する。
【０００９】
さらに、喫煙者を喫煙エリアへスムーズに誘導して、遊技機における喫煙を防止することができるので、遊技機への吸殻回収装置の設置が不要となり、清掃に要する手間や時間を削減することが可能となる。
【００１０】
請求項２の発明によれば、当該遊技機が、所定の状態であると判定されると、自動的に、遊技者の所定時間内の予約情報を所定時間後に変更するので、無理なく喫煙者に喫煙エリアを利用してもらうことができる。また、自動的に、遊技者の所定時間内の予約情報を所定時間後に変更するので、遊技者の妨げとならない。
【００１１】
請求項３の発明によれば、喫煙者が遊技している遊技機から近い順に予約可能な喫煙エリアを提示することができるので、喫煙者にとって便利な喫煙エリアを提示することができる。このように、喫煙エリアの予約に要する手間と時間とを軽減することが出来るので、無理なく喫煙者に喫煙エリアを利用してもらうことができる。
【図面の簡単な説明】
【００１２】
【図１】この発明の実施の形態１に係る遊技場喫煙管理システムを示す概略ブロック図である。
【図２】図１の遊技場喫煙管理システムの台間機組込装置を示す概略ブロック図である。
【図３】図１の遊技場喫煙管理システムの管理コンピュータ組込装置を示す概略ブロック図である。
【図４】図１の遊技場喫煙管理システムの喫煙エリア情報データベースにおける遊技場内の喫煙エリアの位置関係を示す図である。
【図５】図１の遊技場喫煙管理システムの喫煙エリア情報データベースのデータ構成図である。
【図６】図４の喫煙エリア情報データベースにおける各喫煙エリアの使用予約を示す図である。
【図７】図１の遊技場喫煙管理システムによる喫煙エリア予約の処理手順を示すフローチャートである。
【図８】図２の台間機組込装置のモニタに表示されるメッセージを示す一例であり、（ａ）は、喫煙検出時に表示するメッセージであり、（ｂ）は、予約可能な喫煙エリアリストの表示時に表示するメッセージである。
【図９】この発明の実施の形態２に係る台間機組込装置を示す概略ブロック図である。
【図１０】図９の遊技場喫煙管理システムにおける喫煙エリア予約変更の処理手順を示すフローチャートである。
【発明を実施するための形態】
【００１３】
以下、この発明を図示の実施の形態に基づいて説明する。
【００１４】
（実施の形態１）
図１ないし図８は、この発明の実施の形態を示している。ここで、遊技場は、図１に示すように、主として、複数の遊技機１００と、遊技機１００間に配設された台間機１１０と、遊技機１００に接続された呼出ランプ１２０と、複数の台間機１１０および複数の呼出ランプ１２０と接続された台管理コンピュータ２００と、複数の台管理コンピュータ２００とネットワークＮＷを介して接続された複数の島管理コンピュータ３００と、複数の島管理コンピュータ３００とネットワークＮＷを介して接続された管理コンピュータ４００を備えている。ここで、ネットワークＮＷは、典型的には、ＬＡＮ（Ｌｏｃａｌ  Ａｒｅａ  Ｎｅｔｗｏｒｋ）であるが、通信の形態は有線／無線を問わず、各装置間で相互に通信可能な回線であればよい。
【００１５】
ここでは、装置全体を１台の管理コンピュータ４００で制御する場合を例として説明するが、装置全体を２台以上の管理コンピュータ４００によって制御してもよい。このように構成することにより、装置全体の制御負担を分散することができるので、装置全体の処理能力が高まり、遊技機１００や台間機１１０からの稼働信号を迅速に収集して適切な処理を行うことが可能となる。また、島管理コンピュータ３００、台管理コンピュータ２００、台間機１１０、呼出ランプ１２０、および、遊技機１００の台数も、例示した台数に限定されないことはもちろんである。
【００１６】
遊技機１００は、稼働信号を、呼出ランプ１２０、台管理コンピュータ２００、島管理コンピュータ３００を介して管理コンピュータ４００へ伝送する。ここで、稼働信号とは、例えば、遊技機１００の大当り状態や小当たり状態、確変状態を含む稼働状態を表す信号や、貸機（図示略）に会員カードが挿入された旨の信号、遊技機１００のハンドルやレバーが操作された際の信号などを含む遊技機１００が稼働中であることがわかる信号のことである。また、台間機１１０は、稼働信号を、台管理コンピュータ２００、島管理コンピュータ３００を介して管理コンピュータ４００へ伝送する。なお、遊技機１００や台間機１１０から送信される稼働信号を、管理コンピュータ４００へ伝送できる構成であれば、この構成には限定されない。
【００１７】
ここで、遊技機１００から送信される稼働信号について詳述する。遊技機１００の背面には、遊技盤面（図示略）に打ち出された遊技球の数（打玉数）を計数可能な打玉計数機（図示略）を備えたアウトボックス（図示略）が配設されている。遊技機１００は、アウトボックスの打玉計数機からの情報に基づいて、遊技球が遊技盤面に向けて打ち出されたことを示す稼働信号（打玉信号）を、呼出ランプ１２０へ向けて外部出力端子から出力する。なお、遊技盤面に打ち出された遊技球は、打玉のほか、アウト玉と呼ばれることがあり、打玉数は、アウト玉数と呼ばれることがある。
【００１８】
具体的には例えば、打玉信号として、遊技球が１個打ち出されるたびに（消費されるたびに）１つのパルスを出力する。この打玉信号は、呼出ランプ１２０においてパケットの形式に変換された後、呼出ランプ１２０、台管理コンピュータ２００、および島管理コンピュータ３００を経由して、管理コンピュータ４００に送信される。したがって、管理コンピュータ４００は、打玉信号の情報を含むパケットを受信することで、遊技機１００において遊技球が遊技盤面に向けて打ち出されたことを把握することができ、また、打玉信号の情報を含むパケットの数をカウントすることで、打ち出された遊技球の量（打玉数）の情報を取得することもできるようになっている。
【００１９】
なお、ここで、説明した遊技機１００の稼働信号は一例であり、稼働信号は遊技機の種類や機種によって異なる。従って、例えば、時短状態であることを示す稼働信号（時短信号）や、アウトボックス等が満杯になって出玉計数機での計数ができない場合に遊技機が有する出玉情報に基づいて理論上の出玉数（理論出玉数）を出力するための稼働信号（入賞セーフ信号）や、遊技機１００に補充された遊技媒体の数を示す稼働信号（補給信号）などを稼働信号に含めてもよい。
【００２０】
また、遊技機１００は、遊技機１００の稼働状態を示す稼働信号を外部に向けて送信する機能を備えたものであればよく、パチンコ機以外にも、例えば、パチスロ機（スロットマシン）や、パチンコ用の遊技球を遊技媒体として使用するパチスロ機（いわゆるパチロット機）や、遊技機１００内に封入された遊技球を循環使用する封入式遊技機によっても実現可能である。なお、封入式遊技機の場合には、パチンコ機から出力される上述の各種信号の一部または全てと同一または類似の信号が出力されるようになっている。
【００２１】
例えば、遊技機１００としてスロットマシンを採用した場合、ＢＢ遊技やＲＢ遊技が開始されたことを示す稼働信号、ＡＴ中であることを示す稼働信号、リールが回転中であることを示す稼働信号、スタートレバーが操作されたことを示す稼働信号、停止ボタン（ストップボタン）が操作されたことを示す稼働信号、遊技メダルが投入されたことを示す稼働信号、遊技メダルがベットされたことを示す稼働信号、遊技メダルの払い出しを行ったことを示す稼働信号、内部抽選を行ったことを示す稼働信号、入賞役が決定したことを示す稼働信号、などを出力してもよい。
【００２２】
台間機１１０は、遊技球の貸し出しを行う機能を有する玉貸機であり、各遊技機１００に隣接して１台ずつ配設されている。台間機１１０は、紙幣挿入口や、コイン挿入口、モニタなどを有している。
【００２３】
呼出ランプ１２０は、各遊技機１００の上部に配設されており、所定の入賞イベント（例えば、大当り遊技）に応じて所定の表示（例えば、点滅表示）を行う表示器であり、遊技機１００から送信された稼働信号を、台管理コンピュータ２００へ伝送する機能も有している。
【００２４】
なお、ここででは、呼出ランプ１２０に、遊技機１００から受信した稼働信号を台管理コンピュータ２００へ伝達する機能を持たせているが、当該機能を呼出ランプ１２０以外の装置に持たせてもよいし、遊技機１００から台管理コンピュータ２００へ直接、稼働信号を送信し、台管理コンピュータ２００において稼働信号をパケットに変換する処理を行うように構成してもよい。
【００２５】
また、遊技機１００に加えて、呼出ランプ１２０が稼働信号を送信可能に構成してもよく、例えば、呼出ランプ１２０の近傍に呼出ボタンを配設し、当該呼出ボタンが押下操作された場合に、呼出ランプ１２０が呼出ボタンの押下操作の有無を示す稼働信号（呼出信号）を送信するように構成してもよい。また、この例では、遊技機１００に１対１に対応させて呼出ランプ１２０を設ける例を示したが、呼出ランプ１２０と遊技機１００の数の対応関係は、これに限定されない。
【００２６】
台管理コンピュータ２００は、配下の台間機１１０や呼出ランプ１２０から稼働信号を含むデータを受信し、各種処理を行う装置である。
【００２７】
島管理コンピュータ３００は、配下の台管理コンピュータ２００から稼働信号を含むデータを受信し、各種処理を行う装置である。
【００２８】
管理コンピュータ４００は、遊技場内の装置全体を管理するものであり、配下の島管理コンピュータ３００から稼働信号を含むデータを受信し、各種処理を行う装置である。
【００２９】
遊技場喫煙管理システム１は、主として、図２に示すような台間機組込装置１０と、図３に示すような管理コンピュータ組込装置２０とを有している。台間機組込装置１０は、台間機１１０に組み込まれた装置であり、管理コンピュータ組込装置２０は、管理コンピュータ４００に組み込まれた装置である。ここで、遊技場には、図４に示すように、複数の遊技機１００がそれぞれ配設された遊技機島１１〜１８、２１〜２８、３１〜３８、４１〜４４が配設されている。そして、これらの遊技機１００や遊技機島１１〜１８、２１〜２８、３１〜３８、４１〜４４は、図１に示すように、遊技機１００を管理する台管理コンピュータ２００と、遊技機島１１〜１８、２１〜２８、３１〜３８、４１〜４４を管理する島管理コンピュータ３００とによって管理、制御されている。
【００３０】
「台間機組込装置１０」の構成
台間機組込装置１０は、台間機１１０に組み込まれた装置であり、図２に示すように、主として、通信部１２と、喫煙エリア表示手段としてのモニタ１３と、記憶部１４と、喫煙検出手段としての喫煙検出センサ１６と、位置取得手段としての位置取得部１７、および、これらの制御を行う制御部１１とを備えている。ここで、制御部１１と、通信部１２と、モニタ１３と、記憶部１４は、既存の台間機１１０が有している機能である。通信部１２は、通信装置から構成されており、ネットワークＮＷを介して管理コンピュータ４００に組み込まれた管理コンピュータ組込装置２０との間でのデータ通信を行う機能を有している。
【００３１】
モニタ１３は、管理コンピュータ組込装置２０から送信されたデータであるメッセージや検索結果などを表示したり、表示されたメッセージを確認した旨の入力や、喫煙エリアの使用希望時間帯を含む予約条件を入力したりするものであり、例えば、タッチパネル式表示装置などで構成されている。このモニタ１３からの入力によって、喫煙エリア予約処理を開始するようになっている。また、遊技者が休憩などのために遊技機１００を離れる際には、モニタ１３を介して「休憩中（喫煙エリア使用）」である旨を入力するようになっている。
【００３２】
記憶部１４は、台間機組込装置１０における処理に必要なデータや、プログラム、タスクなどを記憶している。
【００３３】
喫煙検出センサ１６は、遊技者の遊技機１００における喫煙を検出するものであり、例えば、タバコの熱や煙などを検出するセンサで構成されている。喫煙検出センサ１６は、当該遊技機１００の遊技者が喫煙した場合には、タバコの熱や煙を検出して喫煙していることを検出するようになっている。
【００３４】
位置取得部１７は、遊技機１００の遊技場内における位置を取得するものであり、例えば、遊技機１００を識別するＩＤ、例えば、台番号によって、遊技場情報データベース（図示略）から当該遊技機１００の位置、すなわち、遊技場においてどの島に位置しているのかを取得するようになっている。
【００３５】
「管理コンピュータ組込装置２０」の構成
管理コンピュータ組込装置２０は、管理コンピュータ４００に組み込まれた装置であり、図３に示すように、主として、通信部２２と、記憶部２３と、喫煙エリア情報記憶手段２４と、喫煙エリア検索手段としての喫煙エリア検索タスク２５と、使用状況取得タスク２６、および、これらの制御を行う制御部２１とを備えている。ここで、制御部２１と、通信部２２と、記憶部２３は、既存の管理コンピュータ４００が有している機能である。通信部２２は、通信装置から構成されており、ネットワークＮＷを介して台間機１１０に組み込まれた台間機組込装置１０との間でのデータ通信を行う機能を有している。
【００３６】
記憶部２３は、管理コンピュータ組込装置２０における処理に必要なデータや、プログラム、タスクなどを記憶している。
【００３７】
喫煙エリア情報記憶手段２４は、遊技場内の喫煙エリアの位置や収容人数、予約者や予約時間などの予約情報を含む喫煙エリア情報を記憶する喫煙エリア情報データベース２４ａを格納するものであり、図４に示すような、遊技場内の喫煙エリアの位置関係を記憶している。すなわち、喫煙エリア情報データベース２４ａには、具体的には例えば、遊技場１Ｆには、遊技機島１１〜１８、２１〜２８が配設されており、外側に喫煙エリア１１〜１９が配設されており、遊技場２Ｆには、遊技機島３１〜３８、４１〜４４が配設されており、外側に喫煙エリア２１〜２９が配設されていることが記憶されている。そして、例えば、島１１から最も近い喫煙エリアは喫煙エリア１１であり、島２８から最も近い喫煙エリアは喫煙エリア１９であることがわかるようになっている。また、喫煙エリア情報データベース２４ａには、遊技機島１１〜１８、２１〜２８、３１〜３８、４１〜４４における遊技機１００の配設位置が記憶されている。これにより、各遊技機１００と、各喫煙エリアの位置関係を把握することが出来るようになっている。ここで、喫煙エリアとは、喫煙室、喫煙可能な休憩所、喫煙可能な食堂などを含むものとする。
【００３８】
喫煙エリア情報データベース２４ａは、図５に示すように、喫煙エリアごとに、つまり、喫煙エリアを識別する喫煙エリアＩＤ２４１ごとに、喫煙エリア名称２４２、位置２４３、収容人数２４４、使用状況２４５、予約状況としての使用予約２４６、およびその他２４７が記憶されている。すなわち、位置２４３には、図４に示すような、各喫煙エリアの遊技場内における位置が記憶され、後述するように、各喫煙エリアと、遊技機島、遊技機との位置関係が把握できるようになっている。また、収容人数２４４には、当該喫煙エリアの収容人数が記憶されている。
【００３９】
使用状況２４５には、後述する使用状況取得タスク２６によって取得された当該喫煙エリアの現在の使用状況が、例えば、「満員」、「混雑」、「余裕あり」のように記憶されている。ここで、「満員」とは、当該喫煙エリアに収容人数２４４以上の人数が存在している場合であり、「混雑」とは、当該喫煙エリアに収容人数２４４の８割以上の人数が存在している場合であり、「余裕あり」とは、当該喫煙エリアに収容人数２４４の８割以下の人数が存在している場合のことである。この使用状況２４５は、使用状況取得タスク２６が当該喫煙エリアの現在の使用状況が取得すると、更新されるようになっている。これにより、使用状況２４５は、常に最新の状態となっている。
【００４０】
使用予約２４６には、予約情報を記憶したメモリアドレスが記憶されている。予約情報には、予約日２４６１、開始時刻２４６２、終了時刻２４６３、予約者ＩＤ２４６４、その他２４６５が記憶されている。予約日２４６１には、予約の日付が記憶され、開始時刻２４６２には、予約の開始時刻が記憶され、開始時刻２４６２には、予約の終了時刻が記憶されている。また、予約者ＩＤ２４６４には、予約者である遊技者を識別するＩＤとして、例えば、会員ＩＤや遊技機１００の台番号、名前などが記憶されている。ここで、予約情報は、遊技者が喫煙エリアの予約・変更・取消をするたびに追加・更新・削除される。
【００４１】
使用予約２４６として、例えば、図６に示すような各喫煙エリアの使用予約が記憶されている場合について説明する。このとき、喫煙エリア１１は、収容人数が４名に対して、１２：００〜１２：１０については４名分の予約が記憶され、１３：１０以降には予約が記憶されていないことがわかる。
【００４２】
また、使用予約２４６は、開始時刻２４６２を所定時間、例えば、５分間経過しても、当該予約者が遊技台１００から離席せず、喫煙エリアを使用していないと判定された場合には、当該使用予約２４６をキャンセルするようにしてもよい。このとき、当該喫煙エリアの当該時間帯のキャンセル待ちをしている他の遊技者がいる場合には、当該他の遊技者に、キャンセルが発生して当該喫煙エリアが使用可能となった旨を通知するようにしてもよい。
【００４３】
また、その他２４７には、例えば、喫煙エリアの設置年月日や改修年月日などが記憶されている。この喫煙エリア情報データベース２４ａは、定数データベースであり、喫煙エリアの増設、改修時などにデータが追加・更新・削除される。
【００４４】
喫煙エリア検索タスク２５は、台間機組込装置１０のモニタ１３で入力された予約条件に適合し、かつ当該予約条件を入力した遊技者の遊技機１００から近く、当該希望時間帯に予約可能な喫煙エリアを、喫煙エリア情報データベース２４ａに記憶された喫煙エリア情報に基づいて検索する機能を有するプログラム、タスクである。この喫煙エリア検索タスク２５によって検索された喫煙エリアは、制御部２１を介して、モニタ１３に表示されるようになっており、遊技者は、モニタ１３を介して喫煙エリアを選択して予約するようになっている。
【００４５】
使用状況取得タスク２６は、台間機組込装置１０から、遊技者によってモニタ１３を介して「休憩中（喫煙エリア使用）」情報が入力された旨を受信したり、各喫煙エリアに配設された人感センサ（図示略）から喫煙者を検出した旨を受信したりした場合に、喫煙エリア情報データベース２４ａの喫煙エリア情報に基づいて、使用状況を判定するように制御部２１によって制御されている。
【００４６】
「遊技場喫煙管理システム１の作用」
次に、遊技場喫煙管理システム１の処理手順および作用について説明する。ここで、遊技場喫煙管理システム１は、遊技場の営業時間中は常時起動されているものとする。
【００４７】
遊技者が遊技機１００に着席すると、図７に示すフローチャートに基づいた処理が行われるようになっており、管理コンピュータ組込装置２０の制御部２１によって、常時、台間機組込装置１０が起動して、制御部１１によって、喫煙検出センサ１６による喫煙の検出の有無が監視される（ステップＳ１１）。
【００４８】
遊技者が喫煙すると、喫煙検出センサ１６によってタバコの熱や煙によって喫煙が検出されて、台間機組込装置１０のモニタ１３に、図８（ａ）に示すように「分煙にご協力をお願いします。」とのメッセージとともに、「喫煙エリアを今すぐ予約する」、「１０分後の予約する」、「２０分後の予約する」、「３０分後の予約する」、「１時間後の予約する」、「他の時間を指定して予約する」、「喫煙エリアを指定して予約する」、「今は予約しない」と表示される（ステップＳ１２）。そして、喫煙エリアの予約をするか否かについての遊技者の入力が待機される（ステップＳ１３）。
【００４９】
遊技者によって、モニタ１３に表示された「今は予約しない」が選択された場合（「ＮＯ」の場合）は、処理が終了される。このとき、当該遊技者を、例えば、台間機１００に配設したカメラ（図示略）によって撮影し、管理コンピュータ４００のデータベース（図示略）などに記憶しておき、当該遊技者の次回来場時には、分煙への協力を促す旨のメッセージ、例えば、「次回はご協力をお願いします」とモニタ１３に表示することで、分煙への意識が自然に定着していくようにしてもよい。また、モニタ１３に表示された「今は予約しない」が選択された際に、同様のメッセージを表示するようにしてもよい。
【００５０】
遊技者によって、モニタ１３に表示された「喫煙エリアを今すぐ予約する」、「１０分後の予約する」、「２０分後の予約する」、「３０分後の予約する」、「１時間後の予約する」が選択された場合（「ＹＥＳ」の場合）は、喫煙エリア検索タスク２５が起動される（ステップＳ１４）。そして、喫煙エリア検索タスク２５によって、当該予約条件を入力した遊技者の遊技機１００から近く、当該希望時間帯に予約可能な、満員ではない喫煙エリアが、喫煙エリア情報データベース２４ａに記憶された喫煙エリア情報に基づいて検索される。このとき、喫煙エリア検索タスク２５は、台間機組込装置１０を介して、遊技者が着席している遊技機１００によって遊技者を特定したり、遊技者がモニタ１３を介して入力した名前によって遊技者を特定したりすることができる。
【００５１】
次に、検索された喫煙エリアがある場合は、図８（ｂ）に示すように、検索された喫煙エリアの中から遊技者の遊技機１００から近い順に喫煙エリアが表示される（ステップＳ１５）。
【００５２】
具体的には例えば、現在時刻１１：３０に、図４に示す島２８に着席している遊技者によって、モニタ１３に表示された「３０分後の予約する」が選択されると（ステップＳ１３）、当該予約条件を満たす喫煙エリアが喫煙エリア情報データベース２４ａに基づいて検索される（ステップＳ１４）。すなわち、当該遊技者から近い喫煙エリアであって、当該時間帯に予約可能な（満員ではない）、喫煙エリア１９、喫煙エリア１７が取得される。このとき、図６に示すように、喫煙エリア１８は、当該時間帯は「満員」であり、予約可能ではないことがわかる。そして、モニタ１３に、図８（ｂ）に示すように「予約可能な喫煙エリアは以下の通りです。予約する方を選択してください。」とのメッセージとともに、予約可能な喫煙エリアリストとして、「喫煙エリア１９を予約する」、「喫煙エリア１７を予約する」、「今は予約しない」との旨のメッセージが表示される（ステップＳ１５）。このとき、喫煙エリアリストは、フロアマップとして図示するようにしてもよい。
【００５３】
そして、喫煙エリア選択について遊技者からの入力が待機される（ステップＳ１６）。
【００５４】
また、該当時間帯にすべての喫煙エリアが「満員」である場合は、「当該時間帯は満員です。時間帯を変更してください。」との旨のメッセージがモニタ１３に表示されて、遊技者に通知される。このとき、キャンセル待ちが出来るようになっていてもよい。
【００５５】
遊技者によって、モニタ１３を介して、いずれかの喫煙エリアが選択された場合（「ＹＥＳ」の場合）は、ステップＳ１７に進んで、喫煙エリア情報データベース２４ａに使用予約２４６が追加される。すなわち、遊技者によってモニタ１３が確認されて、予約したい喫煙エリアが選択されると、ネットワークＮＷを介して喫煙エリア情報データベース２４ａに当該喫煙エリアの使用予約２４６が追加される。このようにして、予約条件に該当する喫煙エリアを予約することができる。
【００５６】
遊技者によって、喫煙エリアが選択されない場合（「ＮＯ」の場合）は、処理が終了される。このとき、当該遊技者を、例えば、台間機１００に配設したカメラ（図示略）によって撮影し、管理コンピュータ４００のデータベース（図示略）などに記憶しておき、当該遊技者の次回来場時には、分煙への協力を促す旨のメッセージ、例えば、「次回はご協力をお願いします」とモニタ１３に表示することで、分煙への意識が自然に定着していくようにしてもよい。また、モニタ１３に表示された「今は予約しない」が選択された際に、同様のメッセージを表示するようにしてもよい。
【００５７】
以上のように、この遊技場喫煙管理システム１によれば、台間機組込装置１０の喫煙検出センサ１６によって喫煙を検出した場合に、喫煙エリア情報データベース２４ａに基づいて、所定の時間帯に予約可能な喫煙エリアを検索して、モニタ１３に表示するので、喫煙者に対して、適切な喫煙エリアを提示することができる。これにより、喫煙者は特別な操作をしなくても、容易に予約可能な喫煙エリアを把握することができる。よって、喫煙者にかける手間や時間を軽減することができる。このように、喫煙エリアの予約に要する手間と時間が軽減されるので、無理なく喫煙者に喫煙エリアを利用してもらうことができる。ゆえに、遊技場において分煙を推し進めることができるとともに、快適な遊技環境を提供することができる。
【００５８】
また、分煙することにより、喫煙者と、非喫煙者とが相互に快適に共存することができるので、遊技機稼働率が向上する。
【００５９】
さらに、喫煙者を喫煙エリアへスムーズに誘導することができるため、遊技機１００における喫煙を防止することができるので、遊技機１００への吸殻回収装置の設置が不要となり、清掃に要する手間や時間を削減することが可能となる。
【００６０】
さらにまた、喫煙者の遊技機１００から近い順に予約可能な喫煙エリアを提示することができるので、喫煙者にとって便利な喫煙エリアを提示することができる。したがって、喫煙エリアの予約に要する手間と時間が軽減され、無理なく喫煙者に喫煙エリアを利用してもらうことができる。
【００６１】
（実施の形態２）
図９、図１０は、この発明の実施の形態２を示している。この実施の形態が実施の形態１と異なるところは、図９に示すように、管理コンピュータ組込装置３０は、稼働状態取得手段としての稼働状態取得タスク３７と、予約変更手段としての予約変更タスク３８とを備えている構成のみであり、その他の部分は実施の形態１に準じるので、準じる部分に実施の形態１と同一または対応する符号を付すことにより、準じる部分の説明を省略する。
【００６２】
稼働状態取得タスク３７は、ネットワークＮＷを介して、台管理コンピュータ２００から遊技機１００の大当り状態や小当たり状態、確変状態を含む稼働状態を取得する機能を有している。具体的には、遊技機１００から送信された稼働信号であって、呼出ランプ１２０、台管理コンピュータ２００、島管理コンピュータ３００を介して管理コンピュータ４００が受信した中から、当該遊技機１００の稼働信号を取得する機能を有している。
【００６３】
予約変更タスク３８は、喫煙エリア情報データベース３４ａに基づいて、遊技者の所定時間内の使用予約３４６がある場合、すなわち、遊技者の使用予約３４６の開始時刻３４６２が所定時間内のものがある場合に、稼働状態取得タスク３７によって当該遊技機１００が、所定の状態、例えば、大当り状態や小当たり状態、確変状態であると判定されると、遊技者の所定時間内の予約情報を所定時間後に変更する機能を有するプログラム、タスクである。ここで、所定の状態とは、遊技者が中断しにくい状態のことであり、例えば、大当り状態や小当たり状態、確変状態を含む状態のことであり、予め記憶部３３に記憶している。
【００６４】
喫煙エリアの予約後は、図１０に示すフローチャートに基づいた処理が行われるようになっており、管理コンピュータ組込装置３０の制御部３１によって、常時、所定時間内、例えば、喫煙エリア情報データベース３４ａの開始時刻３４６２が５分以内となっている使用予約３４６の有無が監視される（ステップＳ２１）。ここでは、開始時刻３４６２が５分以内となって使用予約３４６としたが、時間に幅をもたせるようにしてもよい。所定時間内の予約がある場合（「ＹＥＳ」の場合）は、ステップＳ２２に進んで、モニタ１３に「喫煙エリアの予約時間になりました」とのメッセージが表示される（ステップＳ２２）。
【００６５】
そして、稼働状態取得タスク３７が起動されて（ステップＳ２３）、台管理コンピュータ２００から遊技機１００の大当り状態や小当たり状態、確変状態等を含む稼働状態が取得される。
【００６６】
ステップＳ２４において、ステップＳ２３で取得した稼働状態が、大当り状態や小当たり状態、確変状態等である場合、すなわち、遊技者が中断しにくい状態である場合（「ＹＥＳ」の場合）は、ステップＳ２５に進んで、予約変更タスク３８が起動される。なお、ここで挙げた稼働状態は一例であり、その他の稼働状態でも該当するものがあれば、予約変更タスク３８が起動されるのはいうまでもない。
【００６７】
ステップＳ２５において、具体的には、喫煙エリア検索タスク３５によって、予約時間を所定時間後、例えば、３０分後として、かつ当該予約条件を入力した遊技者の遊技機１００から近く、所定時間後に予約可能な喫煙エリアが、喫煙エリア情報データベース３４ａに記憶された喫煙エリア情報に基づいて検索される。
【００６８】
そして、モニタ１３に、変更した予約時間帯と、検索された喫煙エリアの中から遊技者の遊技機１００から最も近い喫煙エリアが表示されて遊技者に予約の変更が通知される（ステップＳ２６）。
【００６９】
そして、喫煙エリア情報データベース３４ａの使用予約３４６が変更される（ステップＳ２７）。このようにして、予約変更タスク３８によって、喫煙エリア情報データベース３４ａの当該使用予約３４６が所定時間後に変更される。
【００７０】
ステップＳ２４において、ステップＳ２３で取得した稼働状態が、大当り状態や小当たり状態、確変状態以外の場合（「ＮＯ」の場合）は、処理が終了される。
【００７１】
以上のように、この遊技場喫煙管理システム１によれば、稼働状態取得タスク３７によって当該遊技機１００が、所定の状態であると判定されると、自動的に、遊技者の所定時間内の予約情報を所定時間後に変更するので、無理なく喫煙者に喫煙エリアを利用してもらうことができる。また、自動的に、遊技者の所定時間内の予約情報を所定時間後に変更するので、遊技者の妨げとならない。
【００７２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の発明の実施では、喫煙検出センサ１６によって喫煙が検出された際に、モニタ１３に分煙を促すメッセージを表示するように説明したが、所定時間ごとに、モニタ１３に分煙を促すメッセージを表示するようにしてもよいことはもちろんである。また、その際は、稼働状態取得タスク２７によって稼働状態を監視し、大当り状態や小当たり状態、確変状態以外の場合などに、モニタ１３に分煙を促すメッセージを表示するようにしてもよい。
【００７３】
また、台間機組込装置１０は、台間機１１０に組み込まれた装置であるものとして説明したが、呼出ランプ１２０に組み込んでもよい。
【００７４】
遊技場喫煙管理システム１を構成する各装置（ハードウェア）の一部または全てを、当該装置（ハードウェア）と同等の機能を実現するソフトウェアに置き換えてもよい。
【符号の説明】
【００７５】
１        遊技場喫煙管理システム
１０      台間機組込装置
１３      モニタ
１６      喫煙検出センサ（喫煙検出手段）
１７      位置取得部（位置取得手段）
２０      管理コンピュータ組込装置
２４ａ    喫煙エリア情報データベース
２５      喫煙エリア検索タスク（喫煙エリア検索手段）
２６      使用状況取得タスク
３０      管理コンピュータ組込装置
３４ａ    喫煙エリア情報データベース
３５      喫煙エリア検索タスク（喫煙エリア検索手段）
３６      使用状況取得タスク
３７      稼働状態取得タスク（稼働状態取得手段）
３８      予約変更タスク（予約変更手段）
１００    遊技機
１１０    台間機
１２０    呼出ランプ
２００    台管理コンピュータ
３００    島管理コンピュータ
４００    管理コンピュータ
【図１】
0005889849.tif 000002
【図２】
0005889849.tif 000003
【図３】
0005889849.tif 000004
【図４】
0005889849.tif 000005
【図５】
0005889849.tif 000006
【図６】
0005889849.tif 000007
【図７】
0005889849.tif 000008
【図８】
0005889849.tif 000009
【図９】
0005889849.tif 000010
【図１０】
0005889849.tif 000011